(57)【要約】      （修正有）【課題】閉鎖部が誤った方法で組み立てられるのを防止することができる、組み立て式梱包箱を提供する。【解決手段】第１から第４フラップが組み合わさって閉鎖部を形成したときに、前記各フラップにおいて、外部から見えない部分は、外部から見える部分とは視覚的に区別できるように構成されることにより、組立時の誤りを防止する。【選択図】図１
2014181067.tif 000002
【特許請求の範囲】
【請求項１】
弾性変形可能な矩形の薄板状に形成された正面部、第１側面部、背面部、及び第２側面部をこの順で折り曲げ可能に連結し、角筒状に形成される本体部と、
弾性変形可能な薄板状に形成された第１、第２，第３，及び第４フラップを有し、当該４つのフラップが組み合わさることで前記本体部の軸方向の一端部の開口を閉じるように構成された、閉鎖部と、
を備え、
前記第１フラップは、前記正面部の一端部に折り曲げ可能に連結された第１基部と、当該基部の両端部から突出する一対の第１突出部と、を備え、
前記第２フラップは、前記第１側面部の一端部に折り曲げ可能に連結され前記第１フラップの一方の前記第１突出部を外側から覆うように配置される第２基部と、前記第２基部から突出し、前記第１フラップの前記一対の第１突出部の間から前記第１基部の裏面側に配置される第２突出部と、を備え、
前記第３フラップは、前記第２側面部の一端部に折り曲げ可能に連結され前記第１フラップの他方の前記第１突出部を外側から覆うように配置される第３基部と、前記第３基部から突出し、前記第１フラップの前記一対の第１突出部の間から前記第１基部の裏面側に配置される第３突出部と、を備え、
前記第４フラップは、前記背面部の一端部に折り曲げ可能に連結され前記第２基部及び第３基部の一部を外側から覆うように配置される第４基部と、当該第４基部の先端に取付けられ前記第１フラップの前記一対の第１突出部の間から前記第１基部の裏面側に配置される第４突出部と、を備え、
前記閉鎖部は、
前記第１フラップを前記正面部に対して折り曲げ、
前記第２フラップの第２基部を前記第１側面部に対して折り曲げて、前記第１フラップの一方の前記第１突出部を外側から覆うとともに、前記第２突出部を、前記第１フラップの前記一対の第１突出部の間から前記第１基部の裏面側に係合させ、
前記第３フラップの第３基部を前記第２側面部に対して折り曲げて、前記第１フラップの他方の前記第１突出部を外側から覆うとともに、前記第３突出部を、前記第１フラップの前記一対の第１突出部の間から前記第１基部の裏面側に係合させ、
前記第４フラップの第４基部を前記背面部に対して折り曲げて、前記第２基部及び第３基部の一部を外側から覆うとともに、前記第４突出部を、前記第１フラップの一対の第１突出部の間から前記第１基部の裏面側へ係合させる、
ことで形成され、
前記第１から第４フラップが組み合わさって前記閉鎖部を形成したときに、前記各フラップにおいて、外部から見えない部分は、外部から見える部分とは視覚的に区別できるように構成されている、組み立て式梱包箱。
【請求項２】
前記各フラップにおいて、前記外部から見えない部分が、前記外部から見える部分とは異なる、第１の色に着色されている、請求項１に記載の組み立て式梱包箱。
【請求項３】
前記第１フラップは、前記第１基部において前記第２及び第３フラップに覆われる部分及び第１突出部が、前記第１の色に着色され、
前記第２フラップは、前記第２基部において前記第４フラップに覆われる部分、及び第２突出部が、前記第１の色に着色され、
前記第３フラップは、前記第３基部において前記第４フラップに覆われる部分、及び第３突出部が、前記第１の色に着色され、
前記第４フラップは、前記第４突出部が、第１の色に着色されている、
請求項２に記載の組み立て式梱包箱。
【請求項４】
前記本体部の軸方向の他端部の開口を、開閉可能に閉じる蓋部をさらに備えている、請求項１から３のいずれかに記載の組み立て式梱包箱。
【請求項５】
前記本体部及び閉鎖部は、プラスチックの薄板により形成されている、請求項１から４のいずれかに記載の組み立て式梱包箱。
【発明の詳細な説明】
【技術分野】
【０００１】
本発明は、組み立て式梱包箱に関する。
【背景技術】
【０００２】
従来より、特許文献１に記載のような梱包箱が提案されている。この梱包箱は、プラスチックの薄板を折り曲げて直方体状に組み立てられるものである。特に、底面部は、４つのフラップを組み合わせて形成される、いわゆる地獄底（あるいはアメリカンロック）と称されるものである。各フラップには突出部が形成されており、これらを所定の順番で係合させることで、フラップが簡単に外れないようになっている。これにより、底面部の強度が保たれ、内部に収容された商品の重みで簡単にフラップが分離するのを防止している。
【先行技術文献】
【特許文献】
【０００３】
【特許文献１】実用新案登録第３１１５８９５号公報
【発明の概要】
【発明が解決しようとする課題】
【０００４】
しかしながら、上述したフラップの組み立て作業は簡単ではなく、作業に慣れていない者は所定の順番で底面部を組み立てることができず、順序を間違えて組み立ててしまう可能性がある。このように間違った順番で組み立てると、底面部の強度が不足することがある。これにより、内部に配置した商品を支持することができず、底面部が分解するおそれがある。なお、このような構造は、底面のみならず、閉鎖部として、梱包箱の上面や側面に設けられることもある。本発明は、上記問題を解決するためになされたものであり、閉鎖部が誤った方法で組み立てられるのを防止することができる、組み立て式梱包箱を提供することを目的とする。
【課題を解決するための手段】
【０００５】
本発明に係る組み立て式梱包箱は、弾性変形可能な矩形の薄板状に形成された正面部、第１側面部、背面部、及び第２側面部をこの順で折り曲げ可能に連結し、角筒状に形成される本体部と、弾性変形可能な薄板状に形成された第１、第２，第３，及び第４フラップを有し、当該４つのフラップが組み合わさることで前記本体部の軸方向の一端部の開口を閉じるように構成された、閉鎖部と、を備え、前記第１フラップは、前記正面部の一端部に折り曲げ可能に連結された第１基部と、当該基部の両端部から突出する一対の第１突出部と、を備え、前記第２フラップは、前記第１側面部の一端部に折り曲げ可能に連結され前記第１フラップの一方の前記第１突出部を外側から覆うように配置される第２基部と、前記第２基部から突出し、前記第１フラップの前記一対の第１突出部の間から前記第１基部の裏面側に配置される第２突出部と、を備え、前記第３フラップは、前記第２側面部の一端部に折り曲げ可能に連結され前記第１フラップの他方の前記第１突出部を外側から覆うように配置される第３基部と、前記第３基部から突出し、前記第１フラップの前記一対の第１突出部の間から前記第１基部の裏面側に配置される第３突出部と、を備え、前記第４フラップは、前記背面部の一端部に折り曲げ可能に連結され前記第２基部及び第３基部の一部を外側から覆うように配置される第４基部と、当該第４基部の先端に取付けられ前記第１フラップの前記一対の第１突出部の間から前記第１基部の裏面側に配置される第４突出部と、を備え、前記閉鎖部は、前記第１フラップを前記正面部に対して折り曲げ、前記第２フラップの第２基部を前記第１側面部に対して折り曲げて、前記第１フラップの一方の前記第１突出部を外側から覆うとともに、前記第２突出部を、前記第１フラップの前記一対の第１突出部の間から前記第１基部の裏面側に係合させ、前記第３フラップの第３基部を前記第２側面部に対して折り曲げて、前記第１フラップの他方の前記第１突出部を外側から覆うとともに、前記第３突出部を、前記第１フラップの前記一対の第１突出部の間から前記第１基部の裏面側に係合させ、前記第４フラップの第４基部を前記背面部に対して折り曲げて、前記第２基部及び第３基部の一部を外側から覆うとともに、前記第４突出部を、前記第１フラップの一対の第１突出部の間から前記第１基部の裏面側へ係合させる、ことで形成され、前記第１から第４フラップが組み合わさって前記閉鎖部を形成したときに、前記各フラップにおいて、外部から見えない部分は、外部から見える部分とは視覚的に区別できるように構成されている。
【０００６】
この構成によれば、閉鎖部を組み立てる際には、以下の順で行われる。すなわち、上記のように、まず、前記第１フラップを折り曲げ、これを覆うように第２フラップ及び第３フラップを折り曲げる。このとき、第２フラップの前記第２突出部を、第１フラップの一対の第１突出部の間から第１基部の裏面側に係合させる。同様に、第３フラップの第３突出部を、前記第１フラップの一対の第１突出部の間から前記第１基部の裏面側に係合させる。そして、最後に、第４フラップを折り曲げ、第４突出部を、第１フラップの一対の第１突出部の間から前記第１基部の裏面側に係合させる。このような順で閉鎖部を組み立てることで、第２突出部、第３突出部、及び第４突出部が、１フラップの一対の第１突出部の間に係合するため、閉鎖部が強固に組み立てられ、分解するのが防止される。なお、第２フラップと第３フラップは、いずれを先に折り曲げて第１フラップと係合させてもよい。
【０００７】
そして、第１から第４フラップが組み合わさって前記閉鎖部を形成したときに、外部から見えない部分は、外部から見える部分とは視覚的に区別できるように構成されている。そのため、閉鎖部を組み立てる際に、上述した順番以外で組み立てると、正しく組み立てた際には、現れない視覚的に異なる部分が閉鎖部に現れる。これにより、組み立てを行う者は、正しい方法で組み立てられていないことを認識することができる。したがって、本発明によれば、間違った順序で組み立てられることを防止することができ、その結果、予定した強度を発揮することができる梱包箱を提供することができる。なお、「正面部」は必ずしも製品としての正面でなくてもよく、「背面部」が製品としての正面、例えば、需用者に注意喚起を行うための商品名などが記載されたものであってもよい。
【０００８】
上記各フラップにおいて、外部から見えない部分は、外部から見える部分とは視覚的に区別できるように構成するには、例えば、異なる模様を付することができる。あるいは、上記各フラップにおいて、前記外部から見えない部分を、前記外部から見える部分とは異なる、第１の色に着色することができる。なお、ここでいう色は、特には限定されず、少なくとも外部から見える部分との相違が視認できるようなものであればよい。したがって、第１の色を透明、または半透明にすることもできる。また、第１の色は、複数の色であってもよい。すなわち、外部から見える部分と視覚的に区別できるのであれば、第１フラップから第４フラップにおいて外部から見えない部分をすべて同じ色にする必要はなく、異なる色を施すこともできる。
【０００９】
正しい順序で組み立てられない場合に現れる第１の色は、例えば、各フラップにおいて次のように着色することができる。すなわち、前記第１フラップは、前記第１基部において前記第２及び第３フラップに覆われる部分及び第１突出部が、前記第１の色に着色され、前記第２フラップは、前記第２基部において前記第４フラップに覆われる部分、及び第２突出部が、前記第１の色に着色され、前記第３フラップは、前記第３基部において前記第４フラップに覆われる部分、及び第３突出部が、前記第１の色に着色され、前記第４フラップは、前記第４突出部が、第１の色に着色されている。
【００１０】
上記組み立て式梱包箱において、閉鎖部は、本体部の軸方向の一端部に設けられていればよい。例えば、本体部の軸が上下方向に延びるような態様の梱包箱においては、閉鎖部は本体部の上端部または下端部のいずれに設けられてもよい。また、本体部の軸方向の他端部の開口を、開閉可能に閉じる蓋部をさらに設けることもでき、ユーザが商品の出し入れをこの蓋部を開閉することで行うように構成することができる。
【００１１】
上記組み立て式梱包箱において、前記本体部及び閉鎖部は、種々の材料で形成することができるが、耐久性や弾性変形の容易さ、あるいは着色の容易さから、例えば、プラスチックの薄板により形成することができる。
【発明の効果】
【００１２】
本発明に係る組み立て式梱包箱によれば、閉鎖部が誤った方法で組み立てられるのを防止することができる。
【図面の簡単な説明】
【００１３】
【図１】本発明の一実施形態に係る組み立て式梱包箱の斜視図である。
【図２】図１の梱包箱の展開図である。
【図３】図２の第１下部側面フラップの拡大図である。
【図４】図２の展開図の組み立ての手順を示す図である。
【図５】図２の展開図の組み立ての手順を示す図である。
【図６】図２の展開図の組み立ての手順を示す図である。
【図７】図２の展開図の組み立ての手順を示す図である。
【図８】図２の展開図の組み立ての手順を示す図である。
【図９】図２の展開図の組み立ての手順を示す図である。
【図１０】誤った方法で組み立てられた閉鎖部を示す図である。
【図１１】誤った方法で組み立てられた閉鎖部を示す図である。
【発明を実施するための形態】
【００１４】
以下、本発明に係る組み立て式梱包箱の一実施形態について図面を参照しつつ説明する。図１は梱包箱の斜視図であり、図２は梱包箱の展開図である。
【００１５】
図１に示すように、本実施形態に係る梱包箱は、上下方向に長い縦長の直方体であり、角筒状の本体部１を備えている。そして、本体部１の下面にはいわゆる地獄底（アメリカンロック）により閉鎖部２が形成されており、上面に開閉可能な蓋部３が形成されている。まず、図２を参照しつつ、この梱包箱の展開図について説明する。以下の説明では、説明の便宜上、図２の横方向を幅方向、上下方向を縦方向と称して説明を行うことがある。
【００１６】
本実施形態に係る梱包箱は、図２に示すように展開することができ、プラスチック、紙などの弾性変形可能な薄板状の材料で形成されている。この梱包箱の本体部１は、矩形状に形成された正面部１１、第１側面部１２、背面部１３、及び第２側面部１４が、この順で連結されている。これらの連結部分はそれぞれ折り曲げ可能となっている。正面部１１は、梱包箱の正面を向く面であり、例えば、商品の名称などが表示されている。また、正面部１１の左側の辺には、矩形状ののりしろ１１１が折り曲げ可能に連結され、右側の辺には上述した第１側面部１２が連結されている。
【００１７】
背面部１３は、正面部１１と同じ大きさに形成され、梱包箱が組み立てられたときには、正面部１１と対向する位置に配置される。背面部１３には、例えば、商品の使用方法、成分表，会社名などが表示される。第１側面部１２は、正面部１１に向かって右側に配置され、正面部１１及び背面部１３の幅よりもやや狭くなっている。第２側面部１４は、第１側面部１２と同じ大きさに形成され、梱包箱が組み立てられたときには、第１側面部１２と対向する位置に配置される。したがって、本体部１の上端部及び下端部の開口は、正面部１１及び背面部１３側が長い、長方形状に形成される。以下、この開口の長手方向を幅方向、短手方向を縦方向と称することがある。
【００１８】
次に、蓋部３について説明する。蓋部３は、正面部１１の上辺に連結された矩形状のカバー部３１、第１側面部１２及び第２側面部１４の上辺にそれぞれ連結された第１上部側面フラップ３２、及び第２上部側面フラップ３３で構成されている。カバー部３１は、本体部１の上部開口とほぼ同じ大きさの矩形状に形成されており、先端部には矩形状の先端フラップ３１１が折り曲げ可能に連結されている。第１上部側面フラップ３２と第２上部側面フラップ３３は同じ大きさの矩形状に形成されている。第１上部側面フラップ３２の幅は、第１側面部１２の上辺と同じであり、縦長さはカバー部３１の約半分である。第２上部側面フラップ３３も同様である。
【００１９】
続いて、閉鎖部２について説明する。閉鎖部２は、正面フラップ２１、第１下部側面フラップ２２、第２下部側面フラップ２３、及び背面フラップ２４により形成されている。正面フラップ２１は、正面部１１の下辺に折り曲げ可能に連結された矩形状の第１基部２１１と、第１基部２１１の両側から縦方向に突出する一対の第１突出部２１２ａ，２１２ｂとを備えたＵ字型に形成されている。第１基部２１１の幅は、正面部１１と同じであり、縦長さは、本体部１の下部開口の縦長さの約半分の長さである。
【００２０】
第１下部側面フラップ２２は、第１側面部１２の下辺に折り曲げ可能に連結された第２基部２２１と、第２基部２２１から幅方向に正面フラップ２１側に延びる第２突出部２２２と、を備えている。より詳細には、図３に示すように、第２基部２２１は、台形と長方形を組み合わせた形状となっている。台形部分２２１１は、第１側面部１２の下辺と同じ長さの長辺を有し、この長辺の一端部（背面部側）から直角に延びる辺と、長辺の他端部（正面部側）から斜めに延びる傾斜辺とを有し、これらが短辺に連結されている。そして、短辺には長方形部分２２１２が連結されている。また、この長方形部分２２１２の幅方向の端部、つまり傾斜辺側に第２突出部２２２が連結されている。
【００２１】
第２下部側面フラップ２３は、向きが反対となっている以外は、第１下部側面フラップ２２と同様の形状を有している。すなわち、第２側面部１４の下辺に折り曲げ可能に連結された第３基部２３１と、第３基部２３１から幅方向に背面フラップ２４とは反対側に延びる第３突出部２３２と、を備えている。具体的な形状は、第１下部側面フラップ２２と同じであるため、説明を省略する。
【００２２】
背面フラップ２４は、背面部１３の下辺に折り曲げ可能に連結された台形状の第４基部２４１と、第４基部２４１の先端から突出する矩形状の第４突出部２４２とを備えている。第４基部２４１の縦長さは、本体部１の下部開口の縦長さの約半分の長さである。また、第４基部２４１の先端の幅と、第４突出部２４２の幅は同じであり、これらは、正面フラップ２１の第１突出部２１２ａ，２１２ｂ間の長さともほぼ同じである。これは、後述するように、閉鎖部２を組み立てるときに、第４突出部２４２が、正面フラップ２１の第１突出部２１２ａ，２１２ｂの間に嵌め込まれるためである。
【００２３】
また、これらフラップ２１〜２４は、２色に着色されており、図２の斜線部分が、後述するように、組み立てられたときに外部からは見えない部分となっており、この部分が第１の色に着色されている（図２のハッチングされた領域）。そして、それ以外の部分が第２の色に着色されている。第２の色は、外部から見える領域であるため、本体部１や蓋部３に合わせた色になっている（本実施形態では無着色）。
【００２４】
次に、上記のように構成された梱包箱の組み立てについて説明する。まず、展開された状態から本体部１を組み立てる。具体的には、各部１１〜１４の連結部分を折り曲げることで、角筒状に形成する。このとき、のりしろ１１１も正面部１１に対して折り曲げられ、接着材を介して折り曲げられたのりしろ１１１を第２側面部１４の表側に接着する。こうして、図４に示すように、本体部１が、内部空間を有する角筒状に形成される。
【００２５】
次に、本体部１の下部開口を閉じる閉鎖部２を組み立てる。まず、図５に示すように、正面フラップ２１を正面部１１に対して直角に折り曲げる。次に、図６に示すように、第１下部側面フラップ２２の第２基部２２１を第１側面部１２に対して直角に折り曲げて、正面フラップ２１の側部を覆う。すなわち、正面フラップ２１の第１基部２１１の（図６の左側の）側部と、同じ側にある第１突出部２１２ｂとを外側から覆う。このとき、第１下部側面フラップ２２の第２突出部２２２を、正面フラップ２１の第１突出部２１２ａ，２１２ｂの間から第１基部２１１の裏面側に挿入する。これにより、正面フラップ２１の第１基部２１１と左側の第１突出部２１２ｂとで形成される角部に、第２突出部２２２が係合する。
【００２６】
これに続いて、第２下部側面フラップ２３も、第１下部側面フラップ２２と同様に正面フラップ２１に係合させる。すなわち、図７に示すように、第２下部側面フラップ２３の第３基部２３１を第２側面部１４に対して直角に折り曲げて、正面フラップ２１の側部を覆う。すなわち、正面フラップ２１の第１基部２１１の（図７の右側の）側部と、同じ側にある第１突出部２１２ａを外側から覆う。このとき、第２下部側面フラップ２３の第３突出部２３２を、正面フラップ２１の第１突出部２１２ａ，２１２ｂの間から第１基部２１１の裏面側に挿入する。これにより、正面フラップ２１の第１基部２１１と右側の第１突出部２１２ａとで形成される角部に、第３突出部２３２が係合する。
【００２７】
最後に、図８に示すように、背面フラップ２４の第４基部２４１を背面部１３に対して直角に折り曲げて、第１下部側面フラップ２２の第２基部２２１及び第２下部側面フラップ２３の第３基部２３１を外側から覆う。そして、先端の第４突出部２４２を、正面フラップ２１の一対の第１突出部２１２ａ，２１２ｂの間から、第１基部２１１の裏面側へ挿入する。このとき、第４突出部２４２は、第２突出部２２２及び第３突出部２３２と、正面フラップ２１との間に挿入される。こうして、閉鎖部２の組み立てが完成する。なお、上記説明では、第１下部側面フラップ２２を先に折り曲げて正面フラップ２１に係合させているが、第２下部側面フラップ２３を先に折り曲げて正面フラップ２１に係合させてもよい。
【００２８】
図８に示すように、４つのフラップ２１〜２４が組み合わされた閉鎖部２は、第２の色に着色された部分のみが外部に露出し、第１の色（ハッチング）は外部から見えないようになっている。より詳細に説明すると、図２に示すように、正面フラップ２１は、第１基部２１１において第１及び第２下部側面フラップ２２、２３に覆われる部分及び第１突出部２１２ａ，２１２ｂが、第１の色に着色されている。第１下部側面フラップ２２は、第２基部２２１において背面フラップ２４に覆われる部分、及び第２突出部２２２が、第１の色に着色されている。また、第２下部側面フラップ２３は、第３基部２３１において背面フラップ２４に覆われる部分、及び第３突出部２３２が、第１の色に着色されている。そして、背面フラップ２４は、第４突出部２４２が、第１の色に着色されている。
【００２９】
こうして、閉鎖部２が組み立てられた後、本体部１の内部空間に商品を配置した後、蓋部３を閉じる。具体的には、図９に示すように、両上部側面フラップ３２，３３を折り曲げた後、カバー部３１を折り曲げ、最後に、正面部１１と両上部側面フラップ３２，３３の隙間にカバー部３１の先端部３３１を差し込む。こうして、梱包箱の組み立て及び商品の梱包が完了する。
【００３０】
以上のように、本実施形態によれば、４つのフラップ２１〜２４が組み合わさって閉鎖部２を形成したときに、外部から見えない部分は第１の色に着色され、外部から見える部分が第２の色に着色されている。そのため、閉鎖部２を組み立てる際に、上述した順番以外で組み立てると、正しく組み立てた際には現れない第１の色が閉鎖部２に現れる。これにより、組み立てを行う者は、正しい順番で組み立てられていないことを認識することができる。
【００３１】
例えば、両下部側面フラップ２２，２３を折り曲げてから，これを覆うように正面フラップ２１を折り曲げ、最後に、背面フラップ２４を折り曲げて、第４突出部２４２を、正面フラップ２１の一対の第１突出部２１２ａ，２１２ｂの間から、第１基部２１１の裏面側へ挿入すると、図１０に示すようになる。すなわち、正面フラップ２１において、第１の色に着色された部分（ハッチング）が外部に露出する。この場合、両下部側面フラップ２２，２３は、他のフラップと係合していないため、閉鎖部２の強度は弱く、商品を支持できない。
【００３２】
また、第２下部側面フラップ２３を折り曲げた後、これを覆うように正面フラップ２１を折り曲げ、さらに、第１下部側面フラップ２２、及び背面フラップ２４をこの順で折り曲げて係合させた場合には、図１１に示すようになる。すなわち、正面フラップ２１において、第１の色に着色された領域が外部に露出する。この場合、第２下部側面フラップ２３は、他のフラップと係合していないため、閉鎖部２の強度は弱く、商品を支持できない。
【００３３】
したがって、間違った順序で組み立てられた場合には、第１の色に着色された部分が露出するため、組み立て者は、第１の色を視認することで、組み立てが誤っていることを認識することができる。したがって、誤った組み立てが行われることを防止することができる。その結果、予定した強度を発揮することができる梱包箱を提供することができる。
【００３４】
以上、本発明の一実施形態について説明したが、本発明はこれに限定されるものではなく、その趣旨を逸脱しない限りにおいて種々の変更が可能である。例えば、上記実施形態では、閉鎖部２において、外側から見えない部分を第１の色に着色しているが、この部分が、他の部分と区別できるようになっていればよいため、例えば、模様を変えたりしてもよい。また、第１の色は複数の色であってもよい。すなわち、外部から見える部分の第２の色と区別できるのであれば、各フラップ２１〜２４において外部から見えない部分の色をすべて同じにする必要はなく、異なる色に着色してもよい。
【００３５】
また、閉鎖部２を構成するフラップ２１〜２４の形状は上記実施形態に限定されるものではなく、それぞれ基部２１１〜２４１と、突出部２１２〜２４２とが設けられ、正面フラップ２１が概ねＵ字型に形成されるとともに、各下部側面フラップ２２，２３の突出部２２２、２３２及び背面フラップ２４の突出部２４２が、正面フラップ２１に係合するように構成されていればよい。
【００３６】
また、蓋部３の構造は特には限定されず、本体部１の一方の開口を商品の取り出しのために開閉自在に構成されていればよい。また、本体部１の上下の開口の両方に、上述したような閉鎖部を設けてもよい。
【符号の説明】
【００３７】
１  本体部
１１  正面部
１２  第１側面部
１３  背面部
１４  第２側面部
２  閉鎖部
２１  正面フラップ（第１フラップ）
２１１  第１基部
２１２ａ，２１２ｂ  第１突出部
２２  第１下部側面フラップ（第２フラップ）
２２１  第２基部
２２２  第２突出部
２３  第２下部側面フラップ（第３フラップ）
２３１  第３基部
２３２  第３突出部
２４  背面フラップ（第４フラップ）
２４１  第４基部
２４２  第４突出部
３  蓋部
【図１】
2014181067.tif 000003
【図２】
2014181067.tif 000004
【図３】
2014181067.tif 000005
【図４】
2014181067.tif 000006
【図５】
2014181067.tif 000007
【図６】
2014181067.tif 000008
【図７】
2014181067.tif 000009
【図８】
2014181067.tif 000010
【図９】
2014181067.tif 000011
【図１０】
2014181067.tif 000012
【図１１】
2014181067.tif 000013